(57)【要約】　
【課題】　下地材となる唐木の繊細な木目模様が深みを持って現出される高級感に富んだ新規の高品位本位牌を提供する。
【解決手段】　紫檀から成る下地材２と、下地材２の表面側にウレタン系ストップシーラーから成る下塗り層３と、更に下塗り層３の表面側にステインによる着色層４と、続いて着色層４の表面側に透明なエポキシ系樹脂による２００〜３００ミクロンの中塗り層５と、続いてまた、中塗り層５の表面側に透き漆にステインを添加混練して得た透明度のある変性漆からなる上塗り層６から成る。
【選択図】図１
0003100072.tif 000002
【実用新案登録請求の範囲】
【請求項１】
　黒檀や紫檀などの所謂唐木からなる下地材と、当該下地材の表面側にウレタン系ストップシーラーから成る下塗り層と、更に当該下塗り層の表面側にステインによる着色層と、続いて当該着色層の表面側にエポキシ系樹脂による２００〜３００ミクロンの中塗り層と、続いてまた、当該中塗り層の表面側に透き漆にステインを添加混練して得た透明度のある変性漆からなる上塗り層から構成されることを特徴とする、高品位本位牌。
【考案の詳細な説明】
【技術分野】
【０００１】
　本考案は、戒名を記すための位牌に関するものであり、更に詳しくは、下地材となる唐木の繊細な木目模様が深みを持って現出され高級感に富んだ新規な高品位本位牌であり、仏壇内に永く祀られる本位牌に係るものである。
【背景技術】
【０００２】
　従来、位牌は亡くなった人の霊を祀るために、戒名、俗名、死亡年月日、年齢などを書いて、仏壇に安置する木牌を指す。また、この位牌の起源は、中国の儒教での葬儀法要に使用されていた木牌を、禅僧が日本にもたらしたものと言われており、寺院では鎌倉時代頃から用いられ、江戸時代になって一般大衆にも普及するに至ったと言われている。一方、位牌には野位牌、内位牌、本位牌、寺院用位牌などがあり、上記位牌において野位牌と内位牌は葬儀の際に用意されるものであり、共に白木のまま祭壇上に安置される。また、野位牌は墓地までの葬列の時に喪主が持つ位牌であり、葬儀の終了後に墓地に置かれるものである。ここで、寺院によっては四十九日の忌明けまでの位牌を本堂に安置し、後に墓地に持っていくところもあると言われている。続いて、内位牌は、葬儀の祭壇の中心に安置され、その後四十九日忌の忌明けまで小さな祭壇上に祀られるものである。他方、本位牌は四十九日の忌明け後に仏壇内に祀られる位牌であり、黒塗りあるいは金箔塗りの本位牌が一般的である。
【０００３】
　更に、上記本位牌はその板面上に漆塗りが施されているものであり、戒名等の表示前の一般的な位牌本体の製品化及び上記本位牌本体に個々の戒名等を表示する作業に至るまで、熟練者による伝統工芸的作業によって支えられている。そこで、従来における本位牌の典型的な製法及び工程を例示する。先ず、本位牌に適した朴や姫子松等の原木を製材し、乾燥させる乾燥工程がある。次ぎに、上記乾燥後において、所定の形状及び大きさに切断して材の表面仕上げを施し、所定の本位牌型に成形して地板となす成形工程を行う。続いて、上記地板の表面全体を羽毛を用いて均一に下地塗りをなす下地塗り工程を行う。次ぎに、更に地板表面の塗り肌を美しくするために、漆による中塗りを施す中塗り工程を行う。更にまた、下地から上がってきたものを多少薄めた漆を塗り、研磨作業を行って、位牌本体として完成する為の最終的な上塗り仕上げ、更には金箔・金粉によって加飾が施される、仕上げ工程を経るものである。以上のように製造された位牌本体は、前述のような黒塗りあるいは金箔塗りの位牌として知られている。
【特許文献１】実開平２−４４８３号公報
【考案の開示】
【考案が解決しようとする課題】
【０００４】
　上記従来の技術の項に記載のように、従来の本位牌は、黒塗りあるいは金箔塗りの位牌が一般的であり、時代の変遷にも拘わらずその典型的な形状・形態は殆ど変化していないのが実体であった。しかしながら一方、上記本位牌が祀られる仏壇は、住宅の形態が変化するにつれ、従来、檜や松の白木を素地として、漆やカシューで仕上げ金箔で加飾した金仏壇に対する需要が低減し、黒檀、紫檀、鉄刀木、欅、桑、桜等の木地を生かすと共に華美な装飾を廃した唐木仏壇が増加し、更にはマンションのリビング等に配置しても違和感がないものとして家具調に製作された所謂、家具調仏壇も提案されその需要も増している。以上のような仏壇における変化に対して、従来の本位牌ではそれを仏壇にお祀りした際に、仏壇との違和感が生じるという欠点があった。そこで、本考案は上記従来の技術に記載の本位牌が有する欠点等に鑑み成されたものであり、下地材となる唐木の繊細な木目模様が深みを持って現出される高級感に富んだ新規な高品位本位牌を提供することを目的とする。
【課題を解決するための手段】
【０００５】
　上記目的を達成するため、本考案に係る高品位本位牌は、黒檀や紫檀などの所謂唐木からなる下地材と、当該下地材の表面側にウレタン系ストップシーラーから成る下塗り層と、更に当該下塗り層の表面側にステインによる着色層と、続いて当該着色層の表面側に透明なエポキシ系樹脂による２００〜３００ミクロンの中塗り層と、続いてまた、当該中塗り層の表面側に透き漆にステインを添加混練して得た透明度のある変性漆からなる上塗り層から成ることを要旨とする。
【０００６】
　本考案に係る高品位本位牌においては、ステインによる着色層と透き漆にステインを添加混練して得た透明度のある変性漆からなる上塗り層の間に、２００〜３００ミクロンの膜厚を有した透明度の高いエポキシ系樹脂を介在させたので、光の屈折によって繊細な木目模様が深みを持って現出される。
【考案を実施するための最良の形態】
【０００７】
　以下、考案の実施の形態に基づき更に本考案について詳説するものとする。
【０００８】
　先ず、図３は従来の代表的な本位牌の正面図である。図示のように当該本位牌１５は、札板７、レンゲ８、二の座９、返り花１０、ナス座１１、返り花１２、受板１３、框１４から構成されているものであり、上記レンゲ８、二の座９、返り花１０、ナス座１１、返り花１２、受板１３、框１４には各はぞ孔穿設されており、上記札板７の下面に備えられているほぞ棒が嵌入されて一体的なものとなっている。以上のような、本位牌は、黒塗りあるいは金箔塗りのものであった。
【実施例１】
【０００９】
　次に、図２は本考案に係る高品位本位牌の札板の正面図である。ここで、レンゲ以下の各部材につては同様であることから省略していると共に、本考案の主旨によれば、本考案に係る本位牌の形態は、一般的に知られている春日系、勝美系、千倉系等に限定される必要はない。続いて、図２として図示のものは唐木として知られる紫檀を所定の形状に切削加工した下地材に所定の塗装を施した本位牌の札板１であり、図示のように唐木ならではの緻密な木目模様が表出している。
【００１０】
　続いて、図１は上記本考案に係る高品位本位牌の札板の部分拡大断面図である。図示のように、本考案に係る高品位本位牌の札板１は、紫檀から成る下地材２と、下地材２の表面側にウレタン系ストップシーラーから成る下塗り層３と、更に下塗り層３の表面側にステインによる着色層４と、続いて着色層４の表面側にエポキシ系樹脂による２００〜３００ミクロンの中塗り層５と、続いてまた、中塗り層５の表面側に透き漆にステインを添加混練して得た透明度のある変性漆からなる上塗り層６から構成されているものである。
【産業上の利用可能性】
【００１１】
　本考案に係る高品位本位牌は、上述のように構成されていることから、以下に記載する効果を奏す。
【００１２】
　第一に、本考案に係る高品位本位牌は、従来の本位牌と異なり現代的な感覚からすれば、華美過ぎる装飾を削ぎ落としたものであると共に唐木独特の緻密な木目模様が深みを持って現出されており、看者に本質的な高級感を感得させるという効果がある。
【００１３】
　そして第二に、本考案に係る高品位本位牌によれば、住宅形態の変化に伴い指向性の高い木地を生かすと共に華美な装飾を廃した唐木仏壇や所謂、家具調仏壇に祀られても全く違和感がないという効果もある。
【図面の簡単な説明】
【００１４】
【図１】本考案に係る高品位本位牌の札板の部分拡大断面図。
【図２】本考案に係る高品位本位牌の札板の正面図。
【図３】従来の代表的な本位牌の正面図。
【符号の説明】
【００１５】
　１　　本考案に係る高品位本位牌の札板
　２　　紫檀から成る下地材
　３　　下塗り層
　４　　着色層
　５　　中塗り層
　６　　上塗り層
　７　　札板
　８　　レンゲ
　９　　二の座
　１０、１２　返り花
　１１　ナス座
　１３　受板
　１４　框
　１５　従来の本位牌
【図１】
0003100072.tif 000003
【図２】
0003100072.tif 000004
【図３】
0003100072.tif 000005